(57)【要約】【課題】多方向回転スプールを具えたリールの提供。【解決手段】本多方向回転スプールを具えたリールは、本体のベース内に収容空間と結合部が設けられ、且つ二側壁に外側に貫通する軸孔が設けられ、各軸孔外部にスライドブロックが設けられ、各スライドブロックの滑り溝内に回転軸が可動に挿通され、二つの回転軸は収容空間内で転向装置のスプールの二側にアラインし、スプール外に多方向回転する対向式の回転シートが枢接され、ベースの一側の回転軸に駆動装置が枢設され、連接軸により駆動歯車セットに噛み合い、転向装置のスプールを駆動して回転させ、ベースの別側の回転軸に回転装置が枢設され、主動歯車セットは従動歯車セットに噛み合い、ベース二側のスライドブロックを駆動して二つの回転軸を駆動して転向装置の回転シートを駆動し、スプールに多方向変換回転を行わせ、ライン巻取り時の引張り力を増し、ライン放出、巻取り時の時計回り、逆時計回りにスプールを回転させて、ねじれたラインを直線状とし、ライン放出時の抵抗力を減らす。【選択図】図３
2010284163.tif 000002
【特許請求の範囲】
【請求項１】
スプールを多方向に調整回転させてラインの放出と巻取りを行う、多方向回転スプールを具えたリールにおいて、本体、転向装置、駆動装置、及び回転装置で構成され、
該本体に、内部に収容空間を具えたベースが設けられ、該ベースには該収容空間の内壁面の二側においてそれぞれ収納空間を具えた結合部が設けられ、並びに該収容空間の二側壁にそれぞれ該ベースの外側に貫通する軸孔が設けられ、さらに該ベースの二つの外側の軸孔外部にスライドブロックが設けられ、各該スライドブロック内に回転軸が可動に挿通され、
該転向装置は可動に該ベースの収容空間内に枢設され、並びに二側の該結合部間で多方向回転活動を行える対向式の回転シートが設けられ、且つ該対向式の回転シートの内部にラインが巻き付けられるリールが設けられ、該リールの二側が該ベースの二側の該軸孔にアラインする外軸棒が設けられ、二つの該外軸棒内に二つの該軸孔内の回転軸と伸縮係合する接合孔が設けられ、さらに二つの該外軸棒がそれぞれ該対向式の回転シートに設けられた嵌止溝に嵌合し、
該駆動装置は該ベースの一側の軸孔内より突出する回転軸の側辺に枢設され、それは回転軸の側辺にて可動伸縮しアラインする連接軸を具え、並びに連接軸外部に転向装置のスプールを駆動し回転させる駆動歯車セットが噛み合わされ、
該回転装置は該ベースの別側の軸孔内より突出する回転軸の側辺に枢設され、主動歯車セットを駆動し回転させる引き棒セットを具え、該主動歯車セットはベースの二側のスライドブロックを駆動して二つの回転軸を駆動して転向装置の回転シート、スプールに多方向変換回転を行わせる従動回転盤と噛み合うことを特徴とする、多方向回転スプールを具えたリール。
【請求項２】
請求項１記載の多方向回転スプールを具えたリールにおいて、該ベースは一側の結合部の外壁面に、外部の釣り竿に固定されるリールフットを有し、該ベースの二つの外側の軸孔外部に、それぞれガイド溝が設けられ、二つのスライドブロックがそれぞれに対応する該ガイド溝に挿入されてスライド自在とされ、且つ二つの該スライドブロックの外側面のガイド溝の二側に、ガイド溝外部に露出する斜凸部が設けられ、各該スライドブロックのガイド溝の一側に対応する位置に、位置制限滑り溝が設けられ、該位置制限滑り溝は該回転装置の主動歯車セット、従動歯車セットが二つの該スライドブロックを駆動して各ガイド溝内で往復スライドさせるのに供され、従動歯車セットには駆動軸が設けられ、該駆動軸の二側は該ベースの二側より突出し、ガイド溝内に位置し、さらに二つのガイド溝内の駆動軸の二側に、従動歯車、回転輪が連設され、且つ従動歯車は主動歯車セットに噛み合い、並びに従動歯車、回転輪の外側に二つのスライドブロックの位置制限滑り溝内に嵌め込まれる凸柱が設けられ、二つのスライドブロックの側辺に設けられた斜凸部の外部表面が当接面を形成し、さらに該当接面の側辺に斜めにスライドブロック側面に延伸される押圧面が形成されたことを特徴とする、多方向回転スプールを具えたリール。
【請求項３】
請求項１記載の多方向回転スプールを具えたリールにおいて、該転向装置の対向式の回転シートは、該基部の二側より同方向に延伸されたサポートアームを有し、並びに各サポートアームの外側に、枢接部が設けられ、並びに一側の枢接部の二つのサポートアームに、異なる回転角度の位置決めレール溝が設けられ、さらに該位置決めレール溝を具えた二つのサポートアームの内側に、該ベースの結合部の収納空間内に結合される回転盤が結合され、該回転盤に二つのサポートアームの位置決めレール溝内でスライド可能なスライド押し棒が設けられたことを特徴とする、多方向回転スプールを具えたリール。
【請求項４】
請求項１記載の多方向回転スプールを具えたリールにおいて、該転向装置の対向式の回転シートの二側に、それぞれ各該回転シートの相対回転に供される枢接部が設けられ、且つ二つの該枢接部は該ベースの二側の接合部に可動に枢接され、一側の枢接部には接合部に位置決めされて制動バネを具えた回転軸が設けられ、別側の枢接部には回転盤が設けられ、該回転盤に接合部の収納空間内に挿通されて駆動部と接続可能な接続軸が設けられたことを特徴とする、多方向回転スプールを具えたリール。
【請求項５】
請求項１記載の多方向回転スプールを具えたリールにおいて、該回転装置に、該ベースの一側より突出し並びに引き棒セットが設けられ、且つ引き棒セットは相互に連動する主引き棒と副引き棒を具え、主引き棒は主動歯車セットに連設され、副引き棒は従動歯車セットに連設され、従動歯車セットに結合部の収納空間内に設置される駆動軸が設けられ、並びにこの駆動軸に転向装置を駆動して回転させる駆動部が設けられ、該駆動部に斜めに噛み合う第１傘歯車と第２傘歯車が設けられ、第１傘歯車は駆動軸に取付けられ、第２傘歯車は転向装置に連設され、該ベースの一側の主引き棒に主動歯車セットの主動歯車が連設され、且つ主動歯車と主引き棒間に、緩衝体で回転速度を制限される緩衝輪が嵌合されたことを特徴とする、多方向回転スプールを具えたリール。
【請求項６】
請求項１記載の多方向回転スプールを具えたリールにおいて、該回転装置の対向式の回転シートは、該本体の該ベースの二側の結合部間の収容空間に取付けられ、並びに一側の結合部内の従動歯車セットの駆動により多方向回転し、且つ対向式の回転シートの基部に、スプールの二側の外軸棒の係止に供される嵌止溝が設けられ、且つ各嵌止溝はベースの二側の軸孔にアラインし、並びに各嵌止溝の外側に、リールに巻かれるラインの外部への変移を防止できる円弧形のストッパが設けられ、対向式の回転シートの基部内に、嵌止溝に貫通する内溝が設けられ、各内溝にスライド部材が挿通され、且つスライド部材の一側と内溝間に回復バネが保持され、別側に内溝外部より進入してスライド部材を押動する押圧部材が設けられ、各押圧部材は凸字状を呈し、並びに各押圧部材が該ベースの一側の結合部内に設けられたガイド孔内の複数のガイドロッドに可動に枢設され、各押圧部材が結合部内で従動歯車セットの駆動を受けてスライド部材を押圧して内溝中でスライドさせることを特徴とする、多方向回転スプールを具えたリール。
【請求項７】
請求項１記載の多方向回転スプールを具えたリールにおいて、該駆動装置の駆動歯車セットは、連接軸上に連接歯車が設けられ、並びに連接歯車が駆動歯車に噛み合わされ、且つ駆動歯車の外部二側がそれぞれ連動歯車に噛み合わされ、各連動歯車にベースの収容空間内に挿入される位置制限ガイドロッドが嵌合され、さらに各位置制限ガイドロッドがスライドシートの二側の孔に挿入され、二つのスライドシート間がアーチ形連接棒で接続され、アーチ形連接棒にラインを案内してスプールに巻き付けるための導線溝孔が設けられ、且つ駆動歯車内に回転軸が挿通され、駆動歯車の回転軸が駆動装置を回転させる把手を回転させられ、且つ該回転軸には把手の回転半径調整変換に用いられる複数のナットのアライン締結に供される締め片が設けられたことを特徴とする、多方向回転スプールを具えたリール。
【請求項８】
請求項１記載の多方向回転スプールを具えたリールにおいて、該本体のベースの二つの外側に、対応するカバーが設けられ、二側のカバーの内部に、ベースの二側の軸孔にアラインする位置決め部が設けられ、並びに二つの軸孔内の回転軸はバネが嵌合された後に該位置決め部に枢設されることを特徴とする、多方向回転スプールを具えたリール。
【発明の詳細な説明】
【技術分野】
【０００１】
本発明は釣り竿に結合して使用されるリール、特に、多方向にスプールを回転させてラインの巻取りと引出しを調整でき、ラインの巻取りと引出し時に、スプールの多方向回転を組み合わせることで、ライン巻取り時の引張り力を高め、ライン引出し時の抵抗力を減らしたリールに関する。
【背景技術】
【０００２】
国民生活水準の向上により、人々はレジャー活動をますます重視するようになり、週末や連続休暇は、ただ仕事と睡眠の日常習慣のほか、屋外にハイキングや遊びに出かけたり、運動したりする時間とし、並びに運動により身体の新陳代謝を促し、さらに大自然とのふれあいにより、日常生活で受ける過度のストレスを開放させ、心情を楽しくリラックスさせると共に、現代病の発生による身体の健康への影響を防止するようになった。レジャー活動の概念及びその関係産業の勃興発展のもと、釣りは急速に発展し、ファンの多い運動の一つになって久しく、多くの人が釣りを通して屋外の活動を楽しんでいる。そのうち、池釣り、渓流釣り、及び海釣りの三種類の釣り方式が最も一般的である。釣りは天気、水流などの多方面の環境条件を組み合わせる必要があるのみならず、魚種、釣り方法、及び使用する餌などの多種類の釣りテクニックについて細心の研究を重ねる必要があり、細やかさと忍耐を育てることができるとも言え、人に外在の環境の影響を受けずに、静かに考えさせることができる、一種の動態レジャー活動である。
【０００３】
このほか、海釣りは比較的多種類の方式に分けられるが、船釣り、磯釣り、灘釣りに大きく分けられ、加えて、海の魚の種類は非常に多様であり、変化や刺激を好む釣り人にとって、十分な吸引力がある。伝統的な釣り具に使用されるリールは、スピニングリールとベイトリールの二種類に大きく分けられる。そのうち、スピニングリールの構造は、図１３に示されるとおりであり、図１３は周知のスピニングリールの側面図である。それは、ベースＡの一側に釣り竿に取付けられるリールフットＡ１を具え、並びにベースＡの該リールフットＡ１の別側にロータＢ及びスプールＢ１が枢接され、且つスプールＢ１は直立して釣り竿と相互に平行を呈し、使用者が釣り竿でラインを放出する時、ベイルＢ２を回して開けば、スプールＢ１に巻かれたラインＤが引き出される。この時、ラインＤは未だスプールＢ１を駆動して同期に回転させておらず、これによりラインＤ放出時の抵抗力を減らすことができ、使用者は急速にラインＤをスプールＢ１より放出でき、長距離の糸投げ動作を行うのに有利である。使用者がラインを巻取りたい時は、ベースＡに取付けられたハンドルＣを回してロータＢを回転させれば、ラインＤがベイルＢ２に枢接されたガイドロールＢ２１により９０度近くの角度でスプールＢ１に引き込まれて巻き取られる。しかし、このような方式は、巻取り時の引張り力が比較的小さく、ライン放出時にラインを回転させて直線とすることができず、自動ライン放出時のラインＤの湾曲と絡まりを形成し、スプールＢ１に対して高い引張り力の巻取り動作を行えず、ラインＤ放出の時には、湾曲や絡まりが発生し、ラインＤ放出の距離に影響を与える。
【０００４】
さらに、ベイトリールの構造では、図１４の周知のベイトリールの側面図に示されるように、ベースＡの一側に、リールフットＡ１が結合され、並びにベースＡ内部にスプールＢ１が枢接され、且つスプールＢ１は横置きされて釣り竿と相互に垂直とされ、使用者がライン放出する時には、そのスプールＢ１に巻かれたラインＤがガイドロッドＢ３に設けられたスライドシートＢ４のガイドリングＢ４１に沿って引き出される。このとき、ラインＤはスプールＢ１を同期に回転させる。しかし、このような方式は、ライン放出時の抵抗力が比較的大きく、このためラインＤをスプールＢ１より急速に引き出すことができないほか、長距離のライン放出動作を有効に行えず、並びにライン放出時に速すぎるブレーキ状況が発生した場合、ラインＤが跳ね返り、ブレーキが遅すぎると、スプールＢ１の遠心力の関係から、放出されたラインＤがスプールＢ１内に戻り、ラインＤのバックラッシュを発生する。使用者がラインＤを巻き取る時には、ただベースＡに取付けられたハンドルＣを操作してスプールＢ１を回転させて、ラインＤをガイドロッドＢ３上のスライドシートＢ４のガイドリングＢ４１に沿って、直接スプールＢ１に巻き取る。
【０００５】
ゆえに、如何にして周知のリールのライン巻取り時に高い引張り力を具備させ、ライン放出時に抵抗力を低くし、ライン巻取り或いはライン放出時の抵抗を減らすかが、この業界に従事する者及びメーカーの研究及び改善の方向がある。
【発明の概要】
【発明が解決しようとする課題】
【０００６】
本発明者は上述の周知の技術の不足点と欠点を鑑み、関係資料を収集し、多方面での評価と考察を経て、この業界での長年の経験と、不断の構想、改良を通し、多方向回転スプールを具えたリールの発明に至った。
【０００７】
本発明の主要な目的は、リールの本体のベースにおいて、内部収容空間の二側壁にそれぞれ外側に貫通する軸孔を設け、各軸孔外部にスライドブロックを設け、各該軸孔と各該スライドブロックの滑り溝内に可動に回転軸を通し、該回転軸を該収容空間内に挿入し、並びに転向装置のスプールの二側にアラインさせ、且つスプールの外側に多方向回転可能な相対式回転シートを枢接し、さらに該ベースの一側のメインシャフトに、駆動装置を枢設し、連接軸を駆動歯車セットに噛み合わせることで、該駆動装置により転向装置のスプールを駆動して回転させて、該スプールを多方向変換回転可能とし、すなわち、リールの回転シートとスプールの角度を回転させて、長距離のライン放出を行えるようにし、ライン巻取り時の引張り力を高め、並びにライン放出、ライン巻取り時に、時計回り、逆時計回りにリールを回転させ、捩れ曲がったラインを回転させて直線状とし、ライン放出時の抵抗力を減らす目的を達成することにある。
【課題を解決するための手段】
【０００８】
上述の課題を解決するため、請求項１記載の発明は、スプールを多方向に調整回転させてラインの放出と巻取りを行う、多方向回転スプールを具えたリールを提供し、それは、本体、転向装置、駆動装置、及び回転装置で構成され、
該本体に、内部に収容空間を具えたベースが設けられ、該ベースには該収容空間の内壁面の二側においてそれぞれ収納空間を具えた結合部が設けられ、並びに該収容空間の二側壁にそれぞれ該ベースの外側に貫通する軸孔が設けられ、さらに該ベースの二つの外側の軸孔外部にスライドブロックが設けられ、各該スライドブロック内に回転軸が可動に挿通され、
該転向装置は可動に該ベースの収容空間内に枢設され、並びに二側の該結合部間で多方向回転活動を行える対向式の回転シートが設けられ、且つ該対向式の回転シートの内部にラインが巻き付けられるリールが設けられ、該リールの二側が該ベースの二側の該軸孔にアラインする外軸棒が設けられ、二つの該外軸棒内に二つの該軸孔内の回転軸と伸縮係合する接合孔が設けられ、さらに二つの該外軸棒がそれぞれ該対向式の回転シートに設けられた嵌止溝に嵌合し、
該駆動装置は該ベースの一側の軸孔内より突出する回転軸の側辺に枢設され、それは回転軸の側辺にて可動伸縮しアラインする連接軸を具え、並びに連接軸外部に転向装置のスプールを駆動し回転させる駆動歯車セットが噛み合わされ、
該回転装置は該ベースの別側の軸孔内より突出する回転軸の側辺に枢設され、主動歯車セットを駆動し回転させる引き棒セットを具え、該主動歯車セットはベースの二側のスライドブロックを駆動して二つの回転軸を駆動して転向装置の回転シート、スプールに多方向変換回転を行わせる従動回転盤と噛み合うことを特徴とする。
さらに、請求項２記載の発明は、請求項１記載の発明において、該ベースは一側の結合部の外壁面に、外部の釣り竿に固定されるリールフットを有し、該ベースの二つの外側の軸孔外部に、それぞれガイド溝が設けられ、二つのスライドブロックがそれぞれに対応する該ガイド溝に挿入されてスライド自在とされ、且つ二つの該スライドブロックの外側面のガイド溝の二側に、ガイド溝外部に露出する斜凸部が設けられ、各該スライドブロックのガイド溝の一側に対応する位置に、位置制限滑り溝が設けられ、該位置制限滑り溝は該回転装置の主動歯車セット、従動歯車セットが二つの該スライドブロックを駆動して各ガイド溝内で往復スライドさせるのに供され、従動歯車セットには駆動軸が設けられ、該駆動軸の二側は該ベースの二側より突出し、ガイド溝内に位置し、さらに二つのガイド溝内の駆動軸の二側に、従動歯車、回転輪が連設され、且つ従動歯車は主動歯車セットに噛み合い、並びに従動歯車、回転輪の外側に二つのスライドブロックの位置制限滑り溝内に嵌め込まれる凸柱が設けられ、二つのスライドブロックの側辺に設けられた斜凸部の外部表面が当接面を形成し、さらに該当接面の側辺に斜めにスライドブロック側面に延伸される押圧面が形成されたことを特徴としている。
さらに、請求項３記載の発明は、請求項１記載の多方向回転スプールを具えたリールにおいて、該転向装置の対向式の回転シートは、該基部の二側より同方向に延伸されたサポートアームを有し、並びに各サポートアームの外側に、枢接部が設けられ、並びに一側の枢接部の二つのサポートアームに、異なる回転角度の位置決めレール溝が設けられ、さらに該位置決めレール溝を具えた二つのサポートアームの内側に、該ベースの結合部の収納空間内に結合される回転盤が結合され、該回転盤に二つのサポートアームの位置決めレール溝内でスライド可能なスライド押し棒が設けられたことを特徴とする。
さらに、請求項４記載の発明は、請求項１記載の多方向回転スプールを具えたリールにおいて、該転向装置の対向式の回転シートの二側に、それぞれ各該回転シートの相対回転に供される枢接部が設けられ、且つ二つの該枢接部は該ベースの二側の接合部に可動に枢接され、一側の枢接部には接合部に位置決めされて制動バネを具えた回転軸が設けられ、別側の枢接部には回転盤が設けられ、該回転盤に接合部の収納空間内に挿通されて駆動部と接続可能な接続軸が設けられたことを特徴とする。
さらに、請求項５記載の発明は、請求項１記載の多方向回転スプールを具えたリールにおいて、該回転装置に、該ベースの一側より突出し並びに引き棒セットが設けられ、且つ引き棒セットは相互に連動する主引き棒と副引き棒を具え、主引き棒は主動歯車セットに連設され、副引き棒は従動歯車セットに連設され、従動歯車セットに結合部の収納空間内に設置される駆動軸が設けられ、並びにこの駆動軸に転向装置を駆動して回転させる駆動部が設けられ、該駆動部に斜めに噛み合う第１傘歯車と第２傘歯車が設けられ、第１傘歯車は駆動軸に取付けられ、第２傘歯車は転向装置に連設され、該ベースの一側の主引き棒に主動歯車セットの主動歯車が連設され、且つ主動歯車と主引き棒間に、緩衝体で回転速度を制限される緩衝輪が嵌合されたことを特徴とする。
さらに、請求項６記載の発明は、請求項１記載の多方向回転スプールを具えたリールにおいて、該回転装置の対向式の回転シートは、該本体の該ベースの二側の結合部間の収容空間に取付けられ、並びに一側の結合部内の従動歯車セットの駆動により多方向回転し、且つ対向式の回転シートの基部に、スプールの二側の外軸棒の係止に供される嵌止溝が設けられ、且つ各嵌止溝はベースの二側の軸孔にアラインし、並びに各嵌止溝の外側に、リールに巻かれるラインの外部への変移を防止できる円弧形のストッパが設けられ、対向式の回転シートの基部内に、嵌止溝に貫通する内溝が設けられ、各内溝にスライド部材が挿通され、且つスライド部材の一側と内溝間に回復バネが保持され、別側に内溝外部より進入してスライド部材を押動する押圧部材が設けられ、各押圧部材は凸字状を呈し、並びに各押圧部材が該ベースの一側の結合部内に設けられたガイド孔内の複数のガイドロッドに可動に枢設され、各押圧部材が結合部内で従動歯車セットの駆動を受けてスライド部材を押圧して内溝中でスライドさせることを特徴とする。
さらに、請求項７記載の発明は、請求項１記載の多方向回転スプールを具えたリールにおいて、該駆動装置の駆動歯車セットは、連接軸上に連接歯車が設けられ、並びに連接歯車が駆動歯車に噛み合わされ、且つ駆動歯車の外部二側がそれぞれ連動歯車に噛み合わされ、各連動歯車にベースの収容空間内に挿入される位置制限ガイドロッドが嵌合され、さらに各位置制限ガイドロッドがスライドシートの二側の孔に挿入され、二つのスライドシート間がアーチ形連接棒で接続され、アーチ形連接棒にラインを案内してスプールに巻き付けるための導線溝孔が設けられ、且つ駆動歯車内に回転軸が挿通され、駆動歯車の回転軸が駆動装置を回転させる把手を回転させられ、且つ該回転軸には把手の回転半径調整変換に用いられる複数のナットのアライン締結に供される締め片が設けられたことを特徴とする。
さらに、請求項８記載の発明は、請求項１記載の多方向回転スプールを具えたリールにおいて、該本体のベースの二つの外側に、対応するカバーが設けられ、二側のカバーの内部に、ベースの二側の軸孔にアラインする位置決め部が設けられ、並びに二つの軸孔内の回転軸はバネが嵌合された後に該位置決め部に枢設されることを特徴とする。
【発明の効果】
【０００９】
本発明は使用者が回転装置の引き棒セットを時計回り或いは逆時計回りに回す時、主動歯車セットにより従動歯車セットが駆動され、ベースの二側のスライドブロックが協働して側方向に回転軸を押動してスプールより離脱させ、こうして従動歯車セットに接続された駆動部により、同期にスプール、対向式の回転シートを駆動されて左向き或いは右向きに９０度回転し、スプールが直立或いは横置きの回転状態を形成することができる。これにより、本発明は釣り竿において、ライン放出時に左右に回転させられ直立状とされ、ライン放出時の抵抗力を減らすことができる。また、且つライン巻取り時にも左右に回転させて横置き状態とされることで、巻き取りに有利な高い引張り力を提供する。こうして、本発明は長距離のライン放出を行え、ライン巻取り時には高い引張り力で巻取りできる。さらに、ライン放出、巻取り時に、時計回り、或いは逆時計回りの方式でスプールを回転させることができ、ねじれたラインを回転させ直線状とでき、ライン放出時の抵抗力減少の目的を達成し、これにより、大幅にその適用性の範囲を達成でき、且つ全体の使用上の機能と効果を高めることができる。
【図面の簡単な説明】
【００１０】
【図１】本発明の立体外観図である。
【図２】本発明の立体分解図（一）である。
【図３】本発明の立体分解図（二）である。
【図４】本発明の立体断面図である。
【図５】本発明の俯瞰断面図である。
【図６】本発明のリールのスプール転向作動俯瞰断面図である。
【図７】本発明のリールの回転装置とスプールの伝動方式立体外観図である。
【図８】本発明のリールのスプール逆時計方向回転側面図である。
【図９】本発明のリールのスプール逆時計方向回転俯瞰図である。
【図１０】本発明のリールのスプール時計方向回転側面図である。
【図１１】本発明のリールのスプール時計方向回転俯瞰図である。
【図１２】本発明の好ましい実施例の立体外観図である。
【図１３】周知のスピニングリールの側面図である。
【図１４】周知のベイトリールの側面図である。
【発明を実施するための形態】
【００１１】
上述の目的と作用効果を達成するための、本発明の採用する技術手段及びその構造について、以下に図を参照して本発明の好ましい実施例について詳細にその特徴と機能を説明し、完全に理解されるようにする。
【００１２】
図１、２、３、４は、それぞれ本発明の立体外観図、立体分解図（一）、立体分解図（二）及び立体断面図である。これらの図からわかるように、本発明は、本体１、転向装置２、駆動装置３、回転装置４を包含する。本発明の構成要件及び特徴について、以下に詳細に説明する。
【００１３】
該本体１は、ベース１１及びその二側のカバー１２で構成され、該ベース１１内部に収容空間１１０があり、且つ該収容空間１１０の内壁面の二側にそれぞれ結合部１１１が設けられ、各該結合部１１１内に収納空間１１１０があり、そのうち一側の該結合部１１１の外側にリールフット１１２が延設され、さらに該収容空間１１０の二側の壁面の結合部１１１と異なる位置に、外部に貫通する軸孔１３が設けられ、該ベース１１の二側外側において該軸孔１３を通るように、ガイド溝１１３が設けられ、この二側のガイド溝１１３内にスライドブロック１４が置かれている。
【００１４】
二つの該スライドブロック１４の外側表面に、略台形を呈する斜凸部１４１が設けられ、該斜凸部１４１の側辺に押圧面１４２が設けられ、且つ押圧面１４２は斜めにスライドブロック１４表面まで延伸され、且つ押圧面１４２は斜凸部１４１上端の当接面１４３へと漸次縮小し、斜凸部１４１の上面に横向きに切削された滑り溝１４４が設けられ、該スライドブロック１４において斜凸部１４１の押圧面１４２と反対の側辺に近い一側に、縦向きの位置制限滑り溝１４５が形成され、且つ二つのスライドブロック１４の滑り溝１４４はそれぞれ収容空間１１０の二側壁の軸孔１３に対応する。
【００１５】
さらに、ベース１１の二側の外側に、互いに対向するカバー１２が設けられ、二つの該カバー１２の内壁面に、軸孔１３位置にアラインする位置決め部１２１が設けられ、且つ一側のカバー１２の外表面に操作エリア１２２が設けられ、操作エリア１２２内に収容室１２２１が設けられ、さらに収容室１２２１の側辺に外部に貫通する移動軌道１２２２が設けられ、且つ操作エリア１２２の収容室１２２１外側はカバー板１２２３に被覆されている。
【００１６】
該転向装置２は対向するように枢接される二つの回転シート２１、２２を具えている。各回転シート２１、２２の基部２１１、２２１は、二側より同方向に延伸されたサポートアーム２１２、２２２を具え、並びに二つの回転シート２１、２２において同側にあるサポートアーム２１２、２２２の相互接続部分には、枢接部２３が設けられている。且つ枢接部２３は一側の回転シート２１においては二つのサポートアーム２１２に設けられた枢接溝２３１とされ、もう一側の回転シート２２においては二つのサポートアーム２２２に設けられた枢接体２３２とされている。各枢接溝２３１と枢接体２３２の中心位置にはそれぞれ貫通する中心軸孔２３０が設けられ、さらに一側の枢接溝２３１、枢接体２３２の中心軸孔２３０の外周に、環状に異なる回転角度の位置決めレール溝２３３が設けられている。
【００１７】
該枢接溝２３１、枢接体２３２の中心軸孔２３０に対応する位置に、回転盤２３４が設けられ、回転盤２３４は接続軸２３４１を有して該接続軸２３４１が該中心軸孔２３０に挿入されることで、枢接体２３２に枢接される。並びに回転盤２３４の表面にはスライド押し棒２３４２が設けられて、異なる回転角度を有する位置決めレール溝２３３内に嵌め込まれる。別側の枢接溝２３１、枢接体２３２の中心軸孔２３０には枢接軸２３５が通され、且つ枢接軸２３５の一側にはそれぞれ制動バネ２３５１とブシュ２３５２が嵌合されている。
【００１８】
別に、対向する回転シート２１、２２の基部２１１、２２１にはそれぞれＵ形状の嵌止溝２１３、２２３が設けられ、並びに各嵌止溝２１３、２２３の外側には、それぞれ円弧形のストッパ２１３１、２２３１が設けられ、且つ各基部２１１、２２１内にそれぞれ内溝２１４、２２４が設けられて、該内溝２１４、２２４と該嵌止溝２１３、２２３が相互に連通し、さらに、各内溝２１４、２２４中にスライド部材２１４１、２２４１が設けられている。
【００１９】
各該スライド部材２１４１、２２４１の一側と該内溝２１４、２２４の内部壁面間にはそれぞれ回復バネ２１４２、２２４２が設けられ、各スライド部材２１４１、２２４１の別端は、各内溝２１４、２２４の外部より挿入された押圧部材２１４３、２２４３に当接し、並びに各押圧部材２１４３、２２４３には長ガイドレール２１４４、２２４４が設けられ、それぞれ複数のガイドロッド２１４５、２２４５が可動に通されている。
【００２０】
該対向式の回転シート２１、２２の基部２１１、２２１の内側にはスプール２４が設けられる。該スプール２４の二側にはそれぞれ外軸棒２４１が凸設され、並びに各外軸棒２４１に凹環溝２４１１が設けられ、且つ外軸棒２４１の内部に接合孔２４１２が設けられている。該スプール２４の二側の外軸棒２４１が各基部２１１、２２１の嵌止溝２１３、２２３内に嵌め込まれ、且つ各外軸棒２４１上の凹環溝２４１１はそれぞれ各基部２１１、２２１内のスライド部材２１４１、２２４１がスライド係止溝２１４６、２２４６と係合してスライドを係止するのに供される。
【００２１】
該駆動装置３は複数の回転軸３１、駆動歯車セット３２及び把手３３で構成されている。そのうち、回転軸３１の一端には連接軸３１１が嵌合され、該連接軸３１１には連接歯車３１２が同軸上に設けられている。該回転軸３１の別端には嵌合部３１３が設けられ、この嵌合部３１３の設けられた端部近くの外部表面にストッパリング３１４が凸設され、該回転軸３１の該連接軸３１１に挿入される端部にはバネ３１５が嵌合されている。もう一つの回転軸３１には、嵌合部３１３、ストッパリング３１４が設けられ、このもう一つの回転軸３１の嵌合部３１３と反対の端部はバネ３１５が嵌合され、且つ位置決め部材３１６の位置決め軸３１６１に嵌合、枢設されている。
【００２２】
さらに一側の回転軸３１の連接歯車３１２は、駆動歯車セット３２の駆動歯車３２１と噛み合い、駆動歯車３２１の二側にそれぞれ連動歯車３２２が噛み合わされ、且つ連動歯車３２２に位置制限ガイドロッド３２３が挿通され、並びに二つの位置制限ガイドロッド３２３に摺動可能にスライドシート３２４が嵌合され、さらに二つのスライドシート３２４の間にアーチ形連接棒３２５が連設され、並びにアーチ形連接棒３２５に導線溝孔３２６が設けられている。
【００２３】
別に駆動歯車３２１内に回転軸３２７が通され、回転軸３２７の別側には駆動歯車セット３２を駆動して回転させられる把手３３が接続され、且つ回転軸３２７には締め片３３２が設けられて、把手３３表面の複数のナット３３１と回転軸３２７の接続を調整、交換した後に、該締め片３３２で締結し、並びに、把手３３と回転軸３２７の間のアーム距離を調整し、把手３３回転のトルクを変換できる。
【００２４】
該回転装置４は、主動歯車セット４１、引き棒セット４２、及び従動歯車セット４３で構成される。該主動歯車セット４１の主動歯車４１１の一側に同軸上に主動輪４１２の伝動軸４１２１が連設され、且つ伝動軸４１２１に緩衝輪４１３が設けられ、並びに緩衝輪４１３の底部は緩衝体４１３１、緩衝バネ４１３２に支持されている。別に主動輪４１２の一側に複数の引張りバネ４１２２が連設されている。さらに主動輪４１２の主動歯車４１１から遠い別側に引き棒セット４２の主引き棒４２１が枢接され、並びに主引き棒４２１の側辺に副引き棒４２２が枢設され、且つ副引き棒４２２の側面に推移ロッド４２２１が凸設されている。
【００２５】
さらに、主動歯車セット４１の主動歯車４１１の一側は、従動歯車セット４３の従動歯車４３１と噛み合わせられ、従動歯車４３１の外側表面に凸柱４３１１が設けられ、従動歯車４３１の別側は駆動回転盤４３２に連設され、並びに従動歯車４３１に隣接する駆動回転盤４３２の側面に、駆動ガイド柱４３２１が凸設され、駆動回転盤４３２の別側にはさらに駆動軸４３３が連設され、駆動軸４３３の別側には従動回転盤４３４と回転輪４３５が設けられ、且つ回転輪４３５に隣接する従動回転盤４３４の側面に、駆動ガイド柱４３４１が凸設され、回転輪４３５の従動回転盤４３４より離れた別側表面に、凸柱４３５１が凸設されている。
【００２６】
別に駆動軸４３３に駆動部４３６が枢接され、駆動部４３６は駆動軸４３３において嵌合された第１傘歯車４３６１と、該第１傘歯車４３６１の一側に垂直方向に噛み合わされる第２傘歯車４３６２からなり、並びに第２傘歯車４３６２の第１傘歯車４３６１より離れた別側に接合ロッド４３６３が突伸している。
【００２７】
上述の各部品が組み合わされる時は、本体１のベース１１内の収容空間１１０に、転向装置２、駆動装置３及び回転装置４が設置され、且つ収容空間１１０内に、転向装置２の対向式の回転シート２１、２２、スプール２４が可動に枢設される。対向式の回転シート２１、２２は二側の枢接部２３により、収容空間１１０の二側の結合部１１１の収納空間１１１０内に枢設され、一側の枢接部２３は回転盤２３４の接続軸２３４１が収納空間１１１０に挿入され、別側の枢接部２３は枢接軸２３５が収納空間１１１０に挿入された後、制動バネ２３５１が嵌合され、さらにブシュ２３５２で収納空間１１１０内に位置決めされ、並びに対向式回転シート２１、２２の側辺の押圧部材２１４３、２２４３が、複数のガイドロッド２１４５、２２４５を利用してそれぞれ一側の収納空間１１１０の二辺に枢設される。
【００２８】
且つ転向装置２はさらに、スプール２４の二側の外軸棒２４１を利用して、それぞれ回転シート２１、２２に凹設された嵌止溝２１３、２２３に嵌合されて並びに外部に突出し、二側の外軸棒２４１の接合孔２４１２がそれぞれ収容空間１１０の二側壁面に設けられた軸孔１３にアラインし、且つ軸孔１３に対応する外側に、駆動装置３の二つの回転軸３１が通される。
【００２９】
このとき、二つの該回転軸３１の嵌合部３１３は、二側の軸孔１３外側に位置するガイド溝１１３内のスライドブロック１４の滑り溝１４４をとおり、且つ二つの回転軸３１のストッパリング３１４がそれぞれ二つのスライドブロック１４側面の当接面１４３に当接し、並びに二側の回転軸３１の嵌合部３１３が、それぞれ二つの外軸棒２４１の接合孔２４１２内に嵌合し、且つ一側の回転軸３１は軸孔１３外で連接軸３１１に接続され、且つ連接軸３１１の駆動歯車３２１及び二側の連動歯車３２２は、ベース１１の外側面に枢設される。
【００３０】
さらに、二つの連動歯車３２２に接続された位置制限ガイドロッド３２３が、ベース１１の収容空間１１０内に挿入される。二つの位置制限ガイドロッド３２３に枢設されたスライドシート３２４、アーチ形連接棒３２５は、収容空間１１０内のスプール２４の上方に位置する。
【００３１】
並びに別側の回転軸３１は、軸孔１３外のスライドブロック１４の滑り溝１４４において、回転装置４に接続される。回転装置４において、主動輪４１２の一側の伝動軸４１２１がスライドブロック１４の滑り溝１４４を貫通した後に、主動歯車４１１に接続され、並びに主動歯車４１１がベース１１の一側のガイド溝１１３内に枢接され、主動歯車４１１の側辺が従動歯車セット４３の従動歯車４３１に噛み合わされる。
【００３２】
従動歯車４３１の表面に凸設された凸柱４３１１は、スライドブロック１４の一側の位置制限滑り溝１４５内に枢設され、従動歯車４３１の別側の駆動回転盤４３２はその駆動ガイド柱４３４１が転向装置２の一側の回転シート２１の押圧部材２１４３の長ガイドレール２１４４内に挿入され、且つ駆動回転盤４３２の別側は駆動軸４３３がベース１１の一側の結合部１１１の収納空間１１１０に挿入される。
【００３３】
該駆動軸４３３上の駆動部４３６の第１傘歯車４３６１は、接合ロッド４３６３により収納空間１１１０内の転向装置２の回転盤２３４の接続軸２３４１に結合された第２傘歯車４３６２を駆動する。駆動軸４３３の別側は、従動回転盤４３４の駆動ガイド柱４３４１が、転向装置２の別側の回転シート２２側辺の押圧部材２２４３の長ガイドレール２２４４内に挿入され、並びに駆動ガイド柱４３４１の別側に回転輪４３５が結合される。且つ回転輪４３５はベース１１別側のガイド溝１１３内に設置され、並びに回転輪４３５の別側面上の凸柱４３５１がガイド溝１１３内のスライドブロック１４の滑り溝１４４中に枢設され、収容空間１１０の二側のベース１１側辺がそれぞれカバー１２で閉じられる。
【００３４】
回転装置４において、ベース１１の一側のスライドブロック１４に枢接される部分については、該回転装置４の主動輪４１２の一側に引き棒セット４２が枢接され、引き棒セット４２は主引き棒４２１が操作エリア１２２のカバー板１２２３をとおり突出するほか、副引き棒４２２が操作エリア１２２の収容室１２２１の一側の移動軌道１２２２をとおり突出する。
【００３５】
さらにベース１１の別側の駆動装置３の駆動歯車セット３２の駆動歯車３２１に接続された回転軸３２７は、一側がカバー１２外に突出し、締め片３３２で把手３３をナット３３１を利用して接続するのに供される。こうして、本体１、転向装置２、駆動装置３及び回転装置４により本発明のリールが構成される。
【００３６】
前述の本発明の好ましい実施例では、収容空間１１０の前後二側にそれぞれ結合部１１１が設けられている。しかし、実際の応用では、これに限定されるわけではなく、収容空間１１０の内壁には少なくとも一つ或いはそれ以上の結合部１１１が設けられ得る。
【００３７】
且つ上述の転向装置２のスプール２４の二側の外軸棒２４１と、駆動装置３の二つの回転軸３１の一側の嵌合部３１３は、相互に対応し可動に嵌合される凹孔或いは凸棒とされ得て、それは、ただ回転軸３１の嵌合部３１３がスプール２４の対応する外軸棒２４１と可動嵌合され、並びに駆動歯車セット３２の駆動歯車３２１が連接軸３１１の連接歯車３１２と噛み合いそれを駆動し、並びに連接軸３１１で回転軸３１を駆動しこれによりスプール２４を回転状態とすることができればよい。
【００３８】
且つ回転装置４の駆動部４３６は歯車セット、駆動連接棒或いはベルトとプーリ等の動力伝送する装置とされ得る。そのうち、歯車セットは、転向装置２の回転盤２３４と回転装置４の駆動軸４３３に設けられた、相互に斜めに噛み合う第１傘歯車４３６１と第２傘歯車４３６２とされ、回転装置４の駆動軸４３３が回転する時に、駆動部４３６が駆動されて転向装置２の回転盤２３４を駆動して回転させ、これにより転向装置２が駆動され回転した後に、多方向変移角度を呈する。本発明の明細書及び図面の内容を運用してなし得る簡易な修飾及び同等の構造変化は、いずれも本発明の特許範囲内に包含される。
【００３９】
図４、５、６、７は本発明の立体断面図、俯瞰断面図、リールのスプール転向作動俯瞰断面図、回転装置とスプールの伝動方式立体外観図である。これらの図から明らかであるように、本発明のリールは使用時には、回転装置４の引き棒セット４２の主引き棒４２１を回して逆時計回りに回転させる時に、副引き棒４２２が逆時計回りに回転し、並びに推移ロッド４２２１により主引き棒４２１が押し動かされて逆時計回りに回転し、主動歯車セット４１の主動輪４１２側辺に連設された複数の引張りバネ４１２２、及び伝動軸４１２１に設けられた緩衝輪４１３、緩衝体４１３１、及び緩衝バネ４１３２を利用して、適当な弾性抵抗力に調整され、これにより主動輪４１２の伝動軸４１２１の回転が駆動部４３６を駆動する過程に、引き棒セット４２が外力を影響を受けても、簡単には任意揺動の状況を発生しないものとされる。
【００４０】
主動歯車セット４１の主動歯車４１１により、従動歯車セット４３の従動歯車４３１が駆動されて、駆動軸４３３上の回転輪４３５及び駆動部４３６が回転し、これにより、従動歯車４３１と回転輪４３５の凸柱４３１１、４３５１がそれぞれベース１１の左右二側のスライドブロック１４の位置制限滑り溝１４５内をスライドし、スライドブロック１４を駆動してガイド溝１１３内壁面に沿って往復スライドする動作を行わせる。このとき、二つのスライドブロック１４の斜凸部１４１は側方向より駆動装置３の二つの回転軸３１を押圧する。
【００４１】
二つの回転軸３１のストッパリング３１４が力を受けた後に、それぞれ二つの回転軸３１の嵌合部３１３はスプール２４の二側の接合孔２４１２より退出させられ、並びに二つの回転軸３１はそれぞれバネ３１５を圧縮し連接軸３１１、位置決め部材３１６上で弾性変形させ、並びに二つの回転軸３１のストッパリング３１４はそれぞれスライドブロック１４の斜凸部１４１の押圧面１４２に沿って、軸方向にスライドして当接面１４３位置まで至り、これによりベース１１の左右二側に位置する回転軸３１を、それぞれ転向装置２のスプール２４の外軸棒２４１の接合孔２４１２の制限より離脱させる。
【００４２】
主動歯車４１１が従動歯車４３１を駆動して駆動軸４３３上の駆動部４３６を回転させる時、駆動部４３６は同時に転向装置２の一側の回転シート２１を駆動し、該回転シート２１の側辺のスライド部材２１４１のスライド係止溝２１４６が、スプール２４の一側の外軸棒２４１の凹環溝２４１１に嵌合する。スプール２４の一側の外軸棒２４１は回転シート２１の基部２１１の嵌止溝２１３部分に嵌止され、且つ別側の回転シート２２内の押圧部材２２４３は、駆動軸４３３の別側の回転輪４３５の駆動ガイド柱４３４１により駆動され、押圧部材２２４３が内溝２２４中のスライド部材２２４１を押動し、これによりスライド部材２２４１のスライド係止溝２２４６が、スプール２４の別側の外軸棒２４１の凹環溝２４１１を離脱する。スライド部材２２４１は並びに別側の回復バネ２２４２を押圧し、スプール２４の別側の外軸棒２４１を、別側の回転シート２１の嵌止溝２１３、内に位置決めさせる。
【００４３】
こうして回転盤２３４及び別側の枢接軸２３５を軸心とし、一側のサポートアーム２１２、２２２上の枢接部２３に回転盤２３４が枢接され、スライド押し棒２３４２が、一側の枢接部２３の二つのサポートアーム２１２、２２２間において、対向式の位置決めレール溝２３３内でスライド自在とされる。且つスライド押し棒２３４２は位置決めレール溝２３３内にあり、サポートアーム２１２、２２２の位置決めレール溝２３３が時計回りに回転することにより、一つのサポートアーム２２２の位置決めレール溝２３３の右止点２３３１に至り、これと同時に回転装置４の従動歯車セット４３が駆動回転盤４３２の駆動ガイド柱４３４１により、二つの押圧部材２１４３、２２４３を駆動し、転向装置２のスプール２４別側の外軸棒２４１を駆動し、別側の回転シート２２の嵌止溝２２３より離脱させ、並びにスプール２４の一側の外軸棒２４１を、回転シート２１の嵌止溝２１３に嵌止し、これによりスプール２４と回転シート２１を時計回りに９０度回転させて直立の状態を形成させられる。
【００４４】
並びに従動歯車セット４３の駆動部４３６が再度転向装置２の対向式回転シート２１、２２を駆動する。一側のサポートアーム２１２、２２２の枢接部２３に枢接された回転盤２３４は、スライド押し棒２３４２が一側の枢接部２３の二つのサポートアーム２１２、２２２において、対向式位置決めレール溝２３３内でスライド自在とされ、且つスライド押し棒２３４２が位置決めレール溝２３３内で、サポートアーム２２２の位置決めレール溝２３３の右止点２３３１より、逆方向に逆時計回りに回転してサポートアーム２１２、２２２の位置決めレール溝２３３内に至ることにより、回転盤２３４及び別側の枢接軸２３５を軸心とし、転向装置２の一側の回転シート２１及びスプール２４が、逆時計回りに９０度回転し、こうして、スプール２４が水平の状態を形成し、且つスプール２４の別側の外軸棒２４１は別側の回転シート２２の嵌止溝２２３内に係止され、且つが回転シート２２の内溝２２４中のスライド部材２２４１は、回復バネ２２４２の押圧を受け、スライド係止溝２２４６で嵌止溝２２３部分に滑り込み、並びにスプール２４別側の外軸棒２４１の凹環溝２４１１中に嵌入し、こうしてスプール２４が回復して水平方向にベース１の収容空間１１０内に横置される（図８、９も参照されたい。）。
【００４５】
また、転向装置２の別側のスライド部材２２４１のスライド係止溝２２４６が、スプール２４の別側の外軸棒２４１の凹環溝２４１１に嵌合されると、スプール２４の別側の外軸棒２４１は回転シート２１の基部２１１の嵌止溝２１３部分に嵌止され、且つ一側の回転シート２１内の押圧部材２１４３が駆動軸４３３の一側の駆動回転盤４３２の駆動ガイド柱４３２１により駆動され、押圧部材２１４３が内溝２１４中のスライド部材２１４１を押動する。これによりスライド部材２１４１のスライド係止溝２１４６が、スプール２４一側の外軸棒２４１の凹環溝２４１１より離脱し、且つスライド部材２１４１は並びに別側の回復バネ２１４２を押圧し、スプール２４一側の外軸棒２４１を、一側の回転シート２２の嵌止溝２２３内に位置決めする。
【００４６】
こうして回転盤２３４及び別側の枢接軸２３５を軸心とし、一側のサポートアーム２１２、２２２の枢接部２３に枢設された回転盤２３４のスライド押し棒２３４２は、二つの回転シート２１、２２のサポートアーム２１２、２２２のうち一側の枢接部２３の位置決めレール溝２３３内でスライドする。且つスライド押し棒２３４２は位置決めレール溝２３３内で、逆時計方向に回転して位置決めレール溝２３３の左止点２３３２に至り、同時に回転装置４の従動歯車セット４３は駆動回転盤４３２の駆動ガイド柱４３２１が、二つの押圧部材２１４３、２２４３を駆動し、転向装置２のスプール２４の一側の外軸棒２４１を駆動し、別側の回転シート２１の嵌止溝２１３より離脱させ、スプール２４の別側の外軸棒２４１を、回転シート２２の嵌止溝２２３に位置決めし、こうして、スプール２４と回転シート２２に、逆時計方向の９０度角の回転を形成させ、こうして、逆時計回りに回転させ直立状態を形成させることができる。
【００４７】
並びに従動歯車セット４３の駆動部４３６により、再度転向装置２の対向式の回転シート２１、２２を駆動し、一側のサポートアーム２１２、２２２の枢接部２３に設けられた回転盤２３４を駆動し、回転盤２３４のスライド押し棒２３４２を一側のサポートアーム２１２、２２２の枢接部２３の二つの位置決めレール溝２３３内でスライド移動させ、スライド押し棒２３４２を位置決めレール溝２３３内で一つのサポートアーム２１２の位置決めレール溝２３３の左止点２３３２から、反対方向に時計回りにスライドさせてサポートアーム２１２、２２２の位置決めレール溝２３３内に至らせ、回転盤２３４及び別側の枢接軸２３５を軸心として、転向装置２の別側の回転シート２２及びスプール２４を駆動して回転させ、時計回りに９０度回転させ、こうしてスプール２４を時計回りに回転させて水平の状態を形成させることができる。且つスプール２４の別側の外軸棒２４１を一側の回転シート２１の嵌止溝２１３内に嵌止し、且つ該回転シート２１の内溝２１４内のスライド部材２１４１に、回復バネ２１４２の押圧を受けさせ、さらに、スライド係止溝２１４６を嵌止溝２１３部分にスライド嵌合させ、並びにスプール２４の別側の外軸棒２４１の凹環溝２４１１中に嵌め込み、スプール２４を元の位置に回復させ且つ水平方向にベース１の収容空間１１０内で横向きとする（図１０、図１１も共に参照されたい）。
【００４８】
このほか、回転シート２１、２２の別側の枢接軸２３５の外縁に制動バネ２３５１が位置決めされ、且つ制動バネ２３５１は回転シート全体の回転回復に必要な回転回復力を提供し、これにより回転シート２１、２２全体の回転回復過程がさらに安定する。
【００４９】
図８、図９、図１０、図１１、図１２は、本発明のリールのスプール逆時計方向回転側面図、スプール逆時計方向回転俯瞰図、スプール時計方向回転側面図、スプール時計方向回転俯瞰図、好ましい実施例の立体外観図である。これらの図から明らかであるように、本発明のリールは、本体１の一側に設けられたリールフット１１２により、釣り竿５に固定される。使用者が本発明を取り付けた釣り竿５に対して、ライン放出の動作を行う時は、回転装置４の引き棒セット４２を逆時計回りに回転させると、ベース１１内部に収容された転向装置２及びそのスプール２４が左回りに９０度回転し、或いは、使用者は、回転装置４の引き棒セット４２を時計回りに回転させると、ベース１１内部に収容された転向装置２及びそのスプール２４を右回りに９０度回転する。すなわち、スプール２４を左回転或いは右回転させて、釣り竿５と相互に平行として直立状態とした後、スプール２４に巻き付けられたライン６を、スライドシート３２４のアーチ形連接棒３２５の導線溝孔３２６に沿って、放出させることができる。且つライン放出の過程で、ライン６はスプール２４を同時にスプール２４を回転させないため、ライン６の放出時の抵抗力を減らすことができ、使用者がスピーディーにライン６をスプール２４より引き出せるほか、有効に直距離のライン放出動作を行える。
【００５０】
以上を受け、使用者が釣り竿５に対して、ライン巻取りの動作を行う時は、回転装置４の引き棒セット４２を回して時計回り方向に回転させると、同時にベース１１内部に収容された転向装置２及びそのスプール２４が右回りに９０度回転し、或いは使用者は、回転装置４の引き棒セット４２を逆時計回りに回転させれば、同時にベース１１内部の転向装置２及びスプール２４を左方向に９０度回転させることができ、並びにそれを釣り竿５と相互に垂直な横置き状態とすることができる。
【００５１】
さらに、駆動装置３の把手３３でスプール２４を駆動して回転させ、スライドシート３２４に沿ってアーチ形連接棒３２５の導線溝孔３２６に沿って巻取る。巻取りの過程で、ライン６とスプール２４は同時に回転し、ライン６が平均して順調にスプール２４に巻き取られ、ライン６の巻取りの過程でのスプール２４の一側への偏り、或いはスプール２４の外側への巻取りを防止でき、こうしてライン６のねじれ、絡まりを防止して、ライン６を平らにねじれなく保持することができる。こうして、スライドシート３２４のライン巻取り時の引張り力を増すことができ、使用者がライン６をスプール２４に高い引張り力で巻き取ることができ、便利である（図１２）。
【００５２】
ゆえに、本発明の主要な特徴は以下のとおりである。本体１のベース１１内に転向装置２が収容され、その対向式の回転シート２１、２２の二側のサポートアーム２１２、２２２の枢接部２３に、回転盤２３４、枢接軸２３５で、ベース１１の収容空間１１０内の二側辺の結合部１１１と可動に枢接され、駆動装置３の複数の回転軸３１がそれぞれベース１１の左右二側のスライドブロック１４の滑り溝１４４及びガイド溝１１３の軸孔１３内をとおり、並びに転向装置２のスプール２４の二側と係止或いは離脱の状態を形成する。
【００５３】
さらに駆動装置３の駆動歯車セット３２をもって、一側の回転軸３１の連接軸３１１の連接歯車３１２と噛み合い、スプール２４が駆動され回転し、別にその回転装置４の主動歯車セット４１の伝動軸４１２１がベース１１のスライドブロック１４の滑り溝１４４より突出し、且つ従動歯車セット４３の駆動軸４３３がベース１１の左右二側より突出し、こうして従動歯車４３１が回転輪４３５の凸柱４３１１、４３５１がそれぞれスライドブロック１４の位置制限滑り溝１４５内より突出させられ、さらに、駆動軸４３３の駆動部４３６が転向装置２の一側のサポートアーム２１２、２２２の回転盤２３４の接続軸２３４１に接続され、こうして駆動部４３６が転向装置２とそのスプール２４を駆動し回転させて多方向変移角度を形成させ、こうして直立或いは横置き回転状態を形成させることにある。
【００５４】
本発明は使用者が回転装置４の引き棒セット４２を時計回り或いは逆時計回りに回す時、主動歯車セット４１により従動歯車セット４３を駆動し、ベース１１の二側のスライドブロック１４を協働させて側方向に回転軸３１を押動させてスプール２４より離脱させ、こうして従動歯車セット４３に接続された駆動部４３６に、同期にスプール２４、対向式の回転シート２１、２２を駆動させて左向き或いは右向きに９０度回転させ、スプール２４に直立或いは横置きの回転状態を形成させ、これにより、本発明を釣り竿５において、ライン放出時に左右に回転させて直立状となして抵抗力を減らし、且つライン巻取り時にも左右に回転させて横置き状態となして、必要な高い引張り力を提供する。こうして、本発明は長距離のライン放出を行え、ライン巻取り時には高い引張り力で巻取りでき、ライン放出、巻取り時に、時計回り、或いは逆時計回りの方式でスプール２４を回転させることができ、ねじれたライン６を回転させ直線状とでき、ライン放出時の抵抗力減少の目的を達成し、これにより、大幅にその適用性の範囲を達成でき、且つ全体の使用上の機能と効果を高めることができる。
【００５５】
以上の説明は、本発明の好ましい実施例の説明にすぎず、この実施例は本発明の特許請求の範囲を限定するために用いられるものではなく、本発明に開示される技術精神下で完成される均等の変化と修飾、変更は、いずれも本発明のカバーする権利請求範囲に属する。
【００５６】
総合すると、本発明の多方向回転スプールを有するリールは、使用時に顕著な機能の向上を有し、特許の要件に符合し、ゆえにここに特許出願を行うものである。
【符号の説明】
【００５７】
１  本体
１１  ベース                        １２２２  移動軌道
１１０  収容空間                    １２２３  カバー板
１１１  結合部                      １３  軸孔
１１１０  収納空間                  １４  スライドブロック
１１２  リールフット                １４１  斜凸部
１１３  ガイド溝                    １４２  押圧面
１２  カバー                        １４３  当接面
１２１  位置決め部                  １４４  滑り溝
１２２  操作エリア                  １４５  位置制限滑り溝
１２２１  収容室
２  転向装置
２１  回転シート                    ２２４４  長ガイドレール
２１１  基部                        ２２４５  ガイドロッド
２１２  サポートアーム              ２２４６  スライド係止溝
２１３  嵌止溝                      ２３  枢接部
２１３１  ストッパ                  ２３０  中心軸孔
２１４  内溝                        ２３１  枢接溝
２１４１  スライド部材              ２３２  枢接体
２１４２  回復バネ                  ２３３  位置決めレール溝
２１４３  押圧部材                  ２３３１  右止点
２１４４  長ガイドレール            ２３３２  左止点
２１４５  ガイドロッド              ２３４  回転盤
２１４６  スライド係止溝            ２３４１  接続軸
２２  回転シート                    ２３４２  スライド押し棒
２２１  基部                        ２３５  枢接軸
２２２  サポートアーム              ２３５１  制動バネ
２２３  嵌止溝                      ２３５２  ブシュ
２２３１  ストッパ                  ２４  スプール
２２４  内溝                        ２４１  外軸棒
２２４１  スライド部材              ２４１１  凹環溝
２２４２  回復バネ                  ２４１２  接合孔
２２４３  押圧部材
３  駆動装置
３１  回転軸                        ３２２  連動歯車
３１１  連接軸                      ３２３  位置制限ガイドロッド
３１２  連接歯車                    ３２４  スライドシート
３１３  嵌合部                      ３２５  アーチ形連接棒
３１４  ストッパリング              ３２６  導線溝孔
３１５  バネ                        ３２７  回転軸
３１６  位置決め部材                ３３  把手
３１６１  位置決め軸                ３３１  ナット
３２  駆動歯車セット                ３３２  締め片
３２１  駆動歯車
４  回転装置
４１  主動歯車セット                ４３１  従動歯車
４１１  主動歯車                    ４３１１  凸柱
４１２  主動輪                      ４３２  駆動回転盤
４１２１  伝動軸                    ４３２１  駆動ガイド柱
４１２２  引張りバネ                ４３３  駆動軸
４１３  緩衝輪                      ４３４  従動回転盤
４１３１  緩衝体                    ４３４１  駆動ガイド柱
４１３２  緩衝バネ                  ４３５  回転輪
４２  引き棒セット                  ４３５１  凸柱
４２１  主引き棒                    ４３６  駆動部
４２２  副引き棒                    ４３６１  第１傘歯車
４２２１  推移ロッド                ４３６２  第２傘歯車
４３  従動歯車セット                ４３６３  接合ロッド
５  釣り竿
６  ライン
Ａ  ベース
Ａ１  リールフット
Ｂ  ロータ
Ｂ１  スプール
Ｂ２  ベイル
Ｂ２１  ガイドロール
Ｂ３  ガイドロッド
Ｂ４  スライドシート
Ｂ４１  ガイドリング
Ｃ  ハンドル
Ｄ  ライン
【図１】
2010284163.tif 000003
【図２】
2010284163.tif 000004
【図３】
2010284163.tif 000005
【図４】
2010284163.tif 000006
【図５】
2010284163.tif 000007
【図６】
2010284163.tif 000008
【図７】
2010284163.tif 000009
【図８】
2010284163.tif 000010
【図９】
2010284163.tif 000011
【図１０】
2010284163.tif 000012
【図１１】
2010284163.tif 000013
【図１２】
2010284163.tif 000014
【図１３】
2010284163.tif 000015
【図１４】
2010284163.tif 000016